(57)【要約】      （修正有）【課題】空気調和機用室内機の薄型化と低騒音化を図る。【解決手段】左右一対の熱交換器は、室内機ケーシング内の中央部から左右空気吹出口に延びる左右一対の空気通路の各々において、相互の間隔が室内機ケーシングの前面側で狭く、背面側で広いハの字を形成するように傾斜して設けられている一方、遠心送風機は、複数枚の羽根１２と、該複数枚の羽根のスパン方向一端側を周方向に所定の間隔を保って支持固定する主板１０と、上記複数枚の羽根のスパン方向他端側に設けられたリング状の側板１１と、上記主板を介して上記複数枚の羽根を回転させる羽根駆動手段８とからなり、上記主板側が上記室内機ケーシングの背面側に、上記側板側が上記室内機ケーシングの前面側に位置して設置されているとともに、上記複数枚の羽根は、上記主板側の径方向長さを上記側板側の径方向長さよりも長く形成した。【選択図】図８
2009281215.tif 000002
【特許請求の範囲】
【請求項１】
前後方向の奥行寸法が小さい薄型の室内機ケーシングと、該室内機ケーシングの前面側中央部に設けられた空気吸込口と、上記室内機ケーシングの前面側左右に設けられた一対の空気吹出口と、上記室内機ケーシングの内側にあって上記空気吸込口から上記左右一対の空気吹出口に連続する左右一対の空気通路と、該左右一対の空気通路各々の上流側に位置して上記空気吸込口に対応して設けられた遠心送風機と、上記左右一対の空気通路の下流側に位置して上記左右一対の各空気吹出口に対応して設けられた左右一対の熱交換器とを備えてなる空気調和機用室内機であって、上記左右一対の熱交換器は、上記室内機ケーシング内の中央部から左右空気吹出口に延びる左右一対の空気通路の各々において、相互の間隔が室内機ケーシングの前面側で狭く、背面側で広いハの字を形成するように傾斜して設けられている一方、上記遠心送風機は、複数枚の羽根と、該複数枚の羽根のスパン方向一端側を周方向に所定の間隔を保って支持固定する主板と、上記複数枚の羽根のスパン方向他端側に設けられたリング状の側板と、上記主板を介して上記複数枚の羽根を回転させる羽根駆動手段とからなり、上記主板側が上記室内機ケーシングの背面側に、上記側板側が上記室内機ケーシングの前面側に位置して設置されているとともに、上記複数枚の羽根は、上記主板側の径方向長さが上記側板側の径方向長さよりも長く形成されていることを特徴とする空気調和機用室内機。
【請求項２】
羽根の主板側径方向長さは、羽根の後縁部を空気吹出方向後方に長く延長することにより、側板側よりも長く形成されていることを特徴とする請求項１記載の空気調和機用室内機。
【請求項３】
羽根の主板側径方向長さは、羽根の後縁部を、羽根と熱交換器との距離に応じて同距離が大きくなるほど空気吹出方向後方に長く延長することにより、側板側よりも長く形成されていることを特徴とする請求項２記載の空気調和機用室内機。
【請求項４】
空気吹出方向後方に長く延長された羽根後縁部は、側板側から主板側にかけて徐々に直線状に長くなるように延長されていることを特徴とする請求項２又は３記載の空気調和機用室内機。
【請求項５】
空気吹出方向後方に長く延長された羽根後縁部は、側板側から主板側にかけて徐々に曲線状に長くなるように延長されていることを特徴とする請求項２又は３記載の空気調和機用室内機。
【請求項６】
側板側から主板側にかけて徐々に曲線状に長くなるように延長された後縁部は、同曲線状の延長部の途中に一つ以上の変曲点が存在し、それにより主板側に位置する膨出部を形成していることを特徴とする請求項５記載の空気調和機用室内機。
【請求項７】
羽根前縁部の主板側部分に、空気吸込方向前方へ所定の長さ延長された段部を設けたことを特徴とする請求項１，２，３，４，５又は６記載の空気調和機用室内機。
【請求項８】
左右一対の空気通路が各々スクロール部を有して形成され、空気吹出方向に延長される羽根後縁部の長さは、同スクロール部の設置位置に対応して設定されていることを特徴とする請求項１，２，３，４，５，６又は７記載の空気調和機用室内機。
【請求項９】
複数枚の羽根は、それぞれ主板と側板との間を捩れながら軸方向に延びる三次元形状の羽根であることを特徴とする請求項１，２，３，４，５，６，７又は８記載の遠心送風機。
【発明の詳細な説明】
【技術分野】
【０００１】
本願発明は、室内機本体の薄型化を図った空気調和機用室内機の構造に関するものである。
【背景技術】
【０００２】
最近では、空気調和機用室内機の室内機ケーシングの奥行方向の寸法を小さくして、可能な限りの薄型化を図る試みがなされている（例えば特許文献１を参照）。
【０００３】
同特許文献１のものでは、小型で熱交換効率の高いアルミ積層型の熱交換器を回転軸方向の長さを短かくした遠心送風機の左右に配置し、室内機ケーシングの前面側中央部の空気吸込口から吸込んだ空気を、それら熱交換器を介して左右両側の空気吹出口から前方に吹き出すようにすることによって、可能な限り室内機本体の薄型化を図るようにしている。
【０００４】
このようなケーシング内に熱交換機と遠心送風機とを配置してなる空気調和機用室内機において、空気調和機本来の熱交換性能を低下させることなく、可及的に奥行方向のコンパクト化（薄型化）を図るためには、熱交換器の熱交換能力および遠心送風機の送風量を必要かつ十分なレベルに維持しつつ、遠心送風機や熱交換器、空気通路を可及的にコンパクト化する必要がある。
【０００５】
しかし、遠心送風機の小型化は送風量の低下を招くし、熱交換器の小型化は熱交換能力の低下を招く。また空気通路のコンパクト化は送風機の圧力損失を増大させ、回転数の増加、送風音の上昇などの悪影響を及ぼす。このため、そのような欠点のない室内機構造および同室内機構造に合った高静圧・大風量で、静音化が可能な高性能の遠心送風機の構造が求められている。
【０００６】
【特許文献１】特開２００６−２９７０２号公報
【発明の開示】
【発明が解決しようとする課題】
【０００７】
上記特許文献１の場合、前後方向の奥行寸法を小さくして薄型化した室内機ケーシング内空気通路に回転軸方向の長さを短かくした前後方向に等径の羽根を備えた遠心送風機を挟んで、一対の積層型熱交換器を相互に平行に設置して構成されており、回転軸方向の長さを短かくした分だけ遠心送風機の羽根のスパン方向の長さも小さくなり、送風量は低下する。
【０００８】
また、室内機ケーシングの奥行寸法を小さくした分だけ積層型熱交換器の前後幅も小さくなり、熱交換能力が低下する。
【０００９】
さらに、室内機ケーシングの奥行寸法を小さくした分だけ空気通路断面積が小さくなり、遠心送風機の圧損が増大するので、一定の送風量を得ようとすると、回転数のアップを伴い、駆動負荷の増大や送風音の上昇を招く。
【００１０】
つまり、上記特許文献１の構成の場合、室内機自体の薄型化は実現されているものの、上述の課題は何ら実現されていない。
【００１１】
本願発明は、このような問題を解決するためになされたもので、上述のように前後方向の奥行寸法を小さくした空気調和機用室内機において、左右一対の熱交換器を、室内機ケーシング内の中央部から左右空気吹出口に延びる一対の空気通路の各々において、相互に室内機ケーシングの前面側で狭く、背面側で広いハの字を形成するように傾斜させて設けることにより、空気通路の奥行寸法を小さくしながらも必要な熱交換面積を確保できるようにする一方、遠心送風機は、その主板側が熱交換器相互の間隔が広い室内機ケーシングの背面側に位置するように設置するとともに、その複数枚の羽根の主板側の径方向長さを側板側よりも長く形成することによって、羽根車から吹き出される空気流主流部の速度を向上させ、かつ同主流が、より空気通路に余裕がある主板側に偏位して流れるようにし、羽根直後の吹出し気流が熱交換器部分に直接衝突するのを避け、より効率的に送風することができるようにした空気調和機用室内機を提供することを目的とするものである。
【課題を解決するための手段】
【００１２】
本願発明は、上記の目的を達成するたに、次のような課題解決手段を備えて構成されている。
【００１３】
（１）  請求項１の発明
この発明は、前後方向の奥行寸法が小さい薄型の室内機ケーシングと、該室内機ケーシングの前面側中央部に設けられた空気吸込口と、上記室内機ケーシングの前面側左右に設けられた一対の空気吹出口と、上記室内機ケーシングの内側にあって上記空気吸込口から上記左右一対の空気吹出口に連続する左右一対の空気通路と、該左右一対の空気通路各々の上流側に位置して上記空気吸込口に対応して設けられた遠心送風機と、上記左右一対の空気通路の下流側に位置して上記左右一対の各空気吹出口に対応して設けられた左右一対の熱交換器とを備えてなる空気調和機用室内機であって、上記左右一対の熱交換器は、上記室内機ケーシング内の中央部から左右空気吹出口に延びる左右一対の空気通路の各々において、相互の間隔が室内機ケーシングの前面側で狭く、背面側で広いハの字を形成するように傾斜して設けられている一方、上記遠心送風機は、複数枚の羽根と、該複数枚の羽根のスパン方向一端側を周方向に所定の間隔を保って支持固定する主板と、上記複数枚の羽根のスパン方向他端側に設けられたリング状の側板と、上記主板を介して上記複数枚の羽根を回転させる羽根駆動手段とからなり、上記主板側が上記室内機ケーシングの背面側に、上記側板側が上記室内機ケーシングの前面側に位置して設置されているとともに、上記複数枚の羽根は、上記主板側の径方向長さが上記側板側の径方向長さよりも長く形成されていることを特徴とするものである。
【００１４】
このような構成によると、先ず左右一対の熱交換器が、遠心送風機を挟んで室内機ケーシング内の中央部から左右空気吹出口に延びる一対の空気通路の各々において、相互の間隔が室内機ケーシングの前面側で狭く、背面側で広いハの字を形成するように傾斜して設けられているから、空気調和機用室内機の室内機ケーシングの奥行方向の寸法を小さくして、可能な限りの薄型化を図るようにしたとしても、必要かつ十分な熱交換器寸法を確保することができる。したがって、空気調和機用室内機の熱交換器本来の熱交換性能を低下させることなく、室内機本体の奥行方向の寸法を小さくすることが可能となる。
【００１５】
次に遠心送風機は、複数枚の羽根と、該複数枚の羽根のスパン方向一端側を周方向に所定の間隔を保って支持固定する主板と、上記複数枚の羽根のスパン方向他端側に設けられたリング状の側板と、上記主板を介して上記複数枚の羽根を回転させる羽根駆動手段とからなり、その主板側が上記室内機ケーシングの背面側に位置して設置されている。
【００１６】
したがって、同遠心送風機の複数枚の羽根の主流が流れる主板側部分が、左右一対の熱交換器相互間の幅が広い背面側部分に対応するようになり、しかも背面側部分では羽根と熱交換器との距離も大きく、圧損の小さい余裕のある空気通路が形成されているので、羽根車からの主流部が各羽根の主板側に偏位して低圧損で効率良く吹き出されるようになり、熱交換器部分では略全体に亘って均一な風速分布となって通過するようになる。
【００１７】
その結果、熱交換器内を流れる空気流の偏流も解消され、熱交換器の熱交換効率も向上する。
【００１８】
また、羽根直後の吹出し気流が熱交換器部分に直接衝突するのを避け、より効率的に送風することができる。
【００１９】
さらに、上記構成では、それらの構成に加えて、上記複数枚の羽根の各々は、その主板側の径方向長さが側板側の長さよりも長く形成されている。
【００２０】
このように各羽根の主板側の径方向長さを側板側の径方向長さよりも長くすると、上記主板側に偏位し、熱交換器との間隔が広い空気通路部分を流れる羽根主流部分の速度分布が大きく改善されて、その静圧−流量特性が全流量域で向上し、送風量がアップするとともに、また比騒音特性も大幅に改善され、羽根主板側の後縁部下流に発生する後流渦の影響をも相対的に弱めることができるようになる。その結果、同後流渦による騒音も有効に低減されるようになる。
【００２１】
これらの構成により、この発明では、回転数をアップすることなく、必要かつ十分な送風量を得ることができる。また、可能な限り回転数を低くすることで、吹出気流の旋回成分を減らし、送風機羽根車から発生する騒音を抑えることができる。
【００２２】
その結果、全風領域において有効に静音化が達成される。
【００２３】
（２）  請求項２の発明
この発明は、上記請求項１の発明の構成において、羽根の主板側径方向長さは、羽根の後縁部を空気吹出方向後方に長く延長することにより、側板側よりも長く形成されていることを特徴としている。
【００２４】
このように、羽根の後縁部を空気流後方に長く延長することによって、羽根主板側の径方向長さを側板側よりも長くすると、上述のように、主板側に偏位し、熱交換器との間隔が広い空気通路部分を流れる羽根主流部分の速度分布がより大きく改善されて静圧−流量特性が全流量域で向上し、有効に送風量がアップするとともに、比騒音特性も大幅に改善され、羽根主板側の後縁に発生する後流渦の影響を相対的に弱めることができるようになる。  その結果、同後流渦による騒音が有効に低減される。
【００２５】
また、そのように主流部分の速度を向上させたとしても、同主流が流れる部分では熱交換器との間隔が広いことから、羽根からの吹出し気流が熱交換器部分に直接衝突するのを避けて、より効率的に送風することができる。
【００２６】
これらにより、回転数をアップすることなく必要な風量を得ることができ、また回転数を低くすることで、気流の旋回成分を減らし、羽根車から発生する騒音を抑えることができる。
【００２７】
その結果、全風領域において有効に静音化が達成される。
【００２８】
なお、上記の場合、より好ましくは、上記羽根後縁部の長さの空気吹出方向後方への延長に対応して、さらに主板の径も合わせて延長するようにすると、遠心送風機の羽根車の構造上の強度をも同時に向上させることができる。
【００２９】
（３）  請求項３の発明
この発明は、上記請求項１の発明の構成において、羽根の主板側径方向長さは、羽根の後縁部を、羽根と熱交換器との距離に応じて同距離が大きくなるほど空気吹出方向後方に長く延長することにより、側板側よりも長く形成されていることを特徴している。
【００３０】
このように羽根の主板側径方向長さを側板側よりも長くするに際し、羽根の後縁部を、羽根と熱交換器との距離に応じて同距離が大きくなるほど空気吹出方向後方に長く延長することにより、側板側よりも長くするようにすると、羽根車から吹き出される空気流の主流部が、より空気通路に余裕がある主板側に偏位して流れるようになり、羽根からの吹出し気流の速度分布が熱交換器との距離に応じたものとなり、同速度分布に応じて効果的に熱交換器部分に直接衝突するのを避け、より効率的に送風することができる。
【００３１】
これにより、回転数をアップすることなく必要な風量を得ることができる。また回転数を低くすることで、気流の旋回成分を減らし、羽根車から発生する騒音を抑えることができる。
【００３２】
その結果、全風領域において有効に静音化が達成される。
【００３３】
（４）  請求項４の発明
この発明は、上記請求項２又は３の発明の構成において、空気吹出方向後方に長く延長された羽根後縁部は、側板側から主板側にかけて徐々に直線状に長くなるように延長されていることを特徴としている。
【００３４】
このような構成によると、羽根後縁部の形状が側板側から主板側にかけて直線的な変化で拡大されるテーパ形状となり、主板側に偏位して流れる吹出気流の速度分布の変化に適切に対応したものにすることができる。
【００３５】
（５）  請求項５の発明
この発明は、上記請求項２又は３の発明の構成において、空気吹出方向後方に長く延長された羽根後縁部は、側板側から主板側にかけて徐々に曲線状に長くなるように延長されていることを特徴としている。
【００３６】
このような構成によると、羽根後縁部の形状が側板側から主板側にかけて曲線的な変化で拡大されるテーパ形状となり、主板側に偏位して流れる吹出気流の速度分布の変化に、より適切に対応したものにすることができる。
【００３７】
その結果、さらなるファン性能の向上を図ることができる。
【００３８】
（６）  請求項６の発明
この発明は、上記請求項５の発明の構成において、側板側から主板側にかけて徐々に曲線状に長くなるように延長された後縁部は、同曲線状の延長部の途中に一つ以上の変曲点が存在し、それにより主板側に位置する膨出部を形成していることを特徴としている。
【００３９】
上述のような遠心送風機では、主板近傍の気流が、主板の壁面による粘性の影響で層流せん断層を形成し、これにより主流の流路が狭まり、ファン性能が低下する恐れがある。
【００４０】
ところが、上記のようにして主板側に滑らかに膨出する膨出部を設けると、上記せん断層の発達を効果的に抑制し、ファン性能を向上させることができる。
【００４１】
（７）  請求項７の発明
この発明は、上記請求項１，２，３，４，５又は６の発明の構成において、羽根前縁部の主板側部分に、空気吸込方向前方へ所定の長さ延長された段部を設けたことを特徴としている。
【００４２】
このような構成にすると、空気吸入口を通して送風機の羽根車内に吸入された気流が羽根後縁部から後方に吹き出される際に、当該羽根の負圧面側から剥離しようとする気流を効果的に抑制するようになり、上記送風機の騒音をさらに有効に低減することができるようになる。
【００４３】
（８）  請求項８の発明
この発明は、上記請求項１，２，３，４，５，６又は７の発明の構成において、左右一対の空気通路が各々スクロール部を有して形成され、空気吹出方向に延長される羽根後縁部の長さは、同スクロール部の設置位置に対応して設定されていることを特徴としている。
【００４４】
空気通路にスクロール部がある場合、各羽根の後縁部がスクロール部に所定距離以上接近すると、吹出し気流とスクロール部（固体壁）との干渉が原因で、離散的（回転数［ｒｐｓ］×羽根枚数［枚］×ｎ：ｎ＝自然数）の干渉音（いわゆるＮＺ音）が発生する。
【００４５】
したがって、空気通路にスクロール部がある時には、各羽根とスクロール部との距離を接近させすぎないようにするために、延長される羽根後縁部の延長量も同干渉音を発生しない範囲で決定される。
【００４６】
（９）  請求項９の発明
この発明は、上記請求項１，２，３，４，５，６，７又は８の発明の構成において、複数枚の羽根は、それぞれ主板と側板との間を捩れながら軸方向に延びる三次元形状の羽根であることを特徴としている。
【００４７】
このように複数枚の羽根の各々が主板と側板との間を捩れながら軸方向に延びる三次元形状の羽根により形成されていると、従来の平面的に描かれた翼素を基礎に作られた二次元的な羽根の形状と比較して、翼面の負荷分布及び翼間を通過する気流の圧力変動が大きく改善される。
【００４８】
したがって、そのような三次元形状の羽根に対して、さらに上述のような作用を有する請求項１，２，３，４，５，６，７又は８の発明の構成を組み合わせると、より一層効果的に上記後流渦の影響を解消することができる。
【発明の効果】
【００４９】
以上の結果、本願発明によると、必要かつ十分な熱交換能力および送風量を維持しながら、しかも可及的にコンパクトで、かつ静音性に優れた空気調和機用室内機を提供することが可能となる。
【発明を実施するための最良の形態】
【００５０】
図１〜図９は、一例として床置型のものとして構成した本願発明の最良の実施の形態に係る空気調和機用室内機の全体および各部の構成を示している。
【００５１】
同空気調和機用室内機１の全体的な構成を示す図１において、先ず符号Ａは、当該空気調和機用室内機１の前後方向の奥行寸法（製品厚さ）Ｗを可及的に小さくした薄型の本体ケーシングである。該本体ケーシングＡは、その前面側に吸気・吹出パネル（前面板）４、背面側にファンモータ取付面となる背面パネル（背面板）２、左右両面側に側面パネル（側面板）３，３、上面側に上面パネル（天板・・・図示省略）、下面側に下面パネル（底板・・・図示省略）がそれぞれ設けられている。
【００５２】
そして、上記本体ケーシングＡの上記前面側吸気・吹出パネル４には、中央部にベルマウス形状の空気吸込口５ａを形成したベルマウス５が設けられ、さらに、その内側には同軸方向に遠心送風機の一例であるターボファン１３が連設されている。
【００５３】
このターボファン１３は、例えば図１および図３、図４に示されるように、複数枚の羽根１２，１２・・・と、該複数枚の羽根１２，１２・・・のスパン方向一端側を周方向に所定の間隔を保って支持固定する主板１０と、上記複数枚の羽根１２，１２・・・のスパン方向他端側に設けられたリング状の側板１１と、上記主板１０を介して上記複数枚の羽根１２，１２・・・を回転させるファンモータ８とからなり、その主板１０側が上記室内機１の本体ケーシングＡの背面パネル２側に、上記側板１１側が上記室内機本体ケーシングＡの前面側吸気・吹出パネル４側に位置して設置されている。
【００５４】
なお、上記主板１０は、凹溝部を形成した中央部１０ａ側をファンモータ８の駆動軸８ａに取り付けて支持され、フラットな外周部１０ｂ部分に羽根１２，１２・・・を取り付けている。
【００５５】
このターボファン１３は、上記室内機本体ケーシングＡの奥行寸法Ｗを小さくしたことに合わせて、その回転軸方向の長さ（羽根１２，１２・・・のスパン方向の長さを含めて）を可及的に短かくして構成されている。
【００５６】
また、その羽根１２，１２・・・の形状は、上記主板１０と側板１１との間を、例えば図３〜図６に示すように、相互に逆回転方向に捩れながらスパン方向に延びる三次元形状を有している。
【００５７】
また、上記本体ケーシングＡの前面側吸気・吹出パネル４の上記空気吸込口５ａの左右には、所定の幅で上下方向に延びる一対の長方形状の空気吹出口７，７が設けられている。
【００５８】
そして、上記本体ケーシングＡ内には、上記ベルマウス形状の空気吸込口５ａから上記左右両側の空気吹出口７，７方向に到る左右一対の空気通路６，６が形成されており、該空気通路６，６の上記空気吸込口５ａの背後に位置して、その空気吸込側側板１１の先端１１ａを外側に嵌合させる形で上述のターボファン１３が設置され、駆動軸８ａ、ファンモータ８を介して上記本体ケーシングＡの背面パネル２に対して固定されている。
【００５９】
また、同空気通路６，６には、同ターボファン１３を左右から挟む状態で、その下流側空気吹出口７，７に対応する位置に、左右一対の空気熱交換器９，９が設けられている。この左右一対の空気熱交換器９，９は、例えば図２に示すように、偏平な伝熱管（多穴管）９ａ，９ａ・・・および偏平な伝熱フィン（一例としてコルゲートフィン）９ｂ，９ｂ・・・を備えた極めて伝熱性能の高いコンパクトなアルミ積層型の熱交換器よりなり、その下部側にはそれぞれ冷媒ヘッダ２０ａ，２０ｂ、２０ａ，２０ｂが設けられている。そして、これら冷媒ヘッダ２０ａ，２０ｂ、２０ａ，２０ｂに対して冷媒配管２１ａ，２１ｂが連接され、冷媒が供給されるようになっている。
【００６０】
そして、同左右一対の空気熱交換器９，９は、それぞれ全体として直方体形状をなすように形成され、その偏平な伝熱管９ａ，９ａ・・・、偏平な伝熱フィン９ｂ，９ｂ・・・が空気通路６，６の空気流通方向に沿うようにして、上記室内機本体ケーシングＡ内の中央部から左右に延びる左右一対の空気通路６，６の各々において、それら相互の間隔が上記室内機本体ケーシングＡの前面側吸気・吹出パネル４側では狭く、他方背面パネル２側では広い相互にハの字を形成するように傾斜させて設けられている。
【００６１】
このように左右一対の空気熱交換器９，９が、室内機本体ケーシングＡ内の中央部から左右に延びる一対の空気通路６，６の各々において、相互の間隔が室内機本体ケーシングＡの前面側吸気・吹出パネル４側では狭く、背面パネル２側では広いハの字を形成するように傾斜して設けられていると、図１の構成からも理解されるように、その前後方向の長さを十分に長くし、かつ空気流通方向の厚さも十分に大きくすることができるので、全体として必要な熱交換面積を十分に確保しながら、しかも室内機本体ケーシングＡの前後方向厚さを可及的に小さくすることができ、より一層薄型化を図ることができる。
【００６２】
そして、同一対の空気熱交換器９，９は、その後端側を空気通路６，６の背面側コーナ部に、また前端側を吸気・吹出パネル４のベルマウス５側に、さらに下端側を図示しない本体ケーシング底部のドレンパン上に、それぞれ位置決め固定することによって支持されている。
【００６３】
ところが、このように前後方向の奥行寸法を小さくして薄型化した室内機本体ケーシングＡ内の空気通路６，６に回転軸方向の長さを短かくしたターボファン１３を設け、同ターボファン１３を挟んで、一対の積層型空気熱交換器９，９を設置すると、そのままでは回転軸方向の長さを短かくした分だけターボファン１３の羽根１２，１２・・・のスパン方向の長さも短かくなり、送風量が低下する。
【００６４】
また、室内機ケーシングＡの奥行寸法Ｗを小さくした分だけ積層型空気熱交換器９，９の前後幅も小さくなり、熱交換能力が低下する。
【００６５】
さらに、室内機ケーシングＡの奥行寸法Ｗを小さくした分だけ空気通路６，６の断面積が小さくなり、ターボファン１３の圧損が増大するので、一定の送風量を得ようとすると、回転数のアップを伴い、駆動負荷の増大や送風音の上昇を招く。
【００６６】
そこで、この実施の形態では、上記ターボファン１３の上記複数枚の羽根１２，１２・・・は、当該羽根１２，１２・・・の後縁部１２ｂ，１２ｂ・・・を空気吹出方向後方に側板１１側から主板１０側にかけて徐々に直線状に長くなるように延長することによって、上記主板１０側の径方向長さが上記側板１１側の径方向長さよりも長く形成されている。
【００６７】
この場合、例えば同羽根１２，１２・・・の主板１０側径方向の長さは、同羽根１２，１２・・・の後縁部１２ｂ，１２ｂ・・・を、例えば羽根１２，１２・・・と空気熱交換器９，９との距離に応じて、同距離が大きくなればなるほど空気吹出方向後方に長く延長することにより、側板１１側よりも長く形成される。
【００６８】
つまり、この実施の形態における羽根１２，１２・・・の後縁部１２ｂは、その主板１０側と側板１１側とを、従来例のように軸方向に平行な（主板１０に対して垂直な・・・つまり、図８における側板１１の外径Ｄａと主板１０の外径Ｄｂとが等しい）直線で結ぶのではなく、例えば図５〜図８に示すように、同後縁部１２ｂを側板１１側から主板１０側にかけて側板１１側から主板１０側に近付くほど（同後縁部１２ｂと上記空気熱交換器９との間隔が大きくなるほど）延長量が大きくなるように空気流後方に延長することにより、当該ターボファン１３の主流Ｆ1が通過する主板１０側の径方向長さ（翼弦長）を側板１１側よりも長くし、それによって図８に示すごとく、翼スパン方向における空気流の速度分布が主板１０側で有効に発達するようにしている（Ｆ1＞Ｆ2）。
【００６９】
もちろん、この後縁部１２ｂの延長は、当該三次元翼の翼面形状の変化を変えることなく行われ、同形状の変化に沿う形で行われる。
【００７０】
また、その場合、もちろん羽根１２の主板１０側径方向長さの拡大に合わせて主板１０そのものの外径も合わせて拡大させている（図８のＤｂ→Ｄｂ′参照：Ｄｂ′＞Ｄｂ）。
【００７１】
このように羽根後縁部１２ｂの長さの延長に対応して、さらに主板１０の径も合わせて延長するようにすると、ターボファン羽根車の構造上の強度をも同時に向上させることができる。
【００７２】
この場合、上記羽根後縁部１２ｂの延長量は、元のファン回転軸と平行な（主板１０に垂直な）後縁形状を有する羽根１２の場合の主板１０の外径Ｄｂ（図８）を基準に考えると、拡大後の主板１０の外径Ｄｂ′は元の主板１０の外径Ｄｂの１０％増までの大きさのものであることが好ましい。
【００７３】
また、同後縁部１２ｂの延長の際は、羽根１２の主板１０側の翼素の入口角・出口角・取付角・スキュー角等は元の羽根１２の値を保ったままとするのが好ましい。
【００７４】
このような構成のターボファン１３を、図１のようにハの字型に傾斜させて設置した左右一対の空気熱交換器９，９間に設けると、例えば図９に示すように、同ターボファン１３の複数枚の羽根１２，１２・・・の主流Ｆ1が流れる主板１０側部分が、左右一対の熱交換器９，９相互間の幅が広い背面パネル２側部分に対応するようになり、しかも同背面パネル２側部分では羽根１２，１２・・・と熱交換器９，９との距離も大きく、圧損の小さい余裕のある空気通路６，６が形成されているので、ターボファン１３の羽根車からの主流Ｆ1部が各羽根の主板１０側に偏位して低圧損で効率良く吹き出されるようになり、熱交換器９，９部分では略全体に亘って均一な風速分布となって通過するようになる。
【００７５】
その結果、熱交換器９，９内を流れる空気流の偏流も解消され、熱交換器９，９の熱交換効率も向上する。
【００７６】
また、羽根車流出直後の吹出し気流が熱交換器９，９部分に直接衝突するのを避け、より効率的に送風することができる。
【００７７】
これにより、例えば図１０に示すように、従来のもの（図８のＤｂ＝Ｄａのもの）に比べて回転数をアップすることなく必要な風量を得ることができる。また回転数を低くすることで、気流の旋回成分を減らし、羽根車から発生する騒音を抑えることができる。
【００７８】
その結果、例えば図１１に示すように、同従来のものに比べて全風量域において有効に静音化が達成される。
【００７９】
これは図１２に示すように、従来の送風機に対してスペクトルが緩和されることによる。
【００８０】
また、以上のように、羽根１２，１２・・・の後縁部１２ｂを空気流後方に長く延長することによって、羽根１２の主板１０側の径方向長さを側板１１側よりも長くすると、主板１０側に偏位して流れる羽根主流Ｆ1部分の速度分布自体がより大きく改善されて静圧−流量特性が全流量域で向上し、送風量がアップするとともに、比騒音特性も大幅に改善され、三次元形状の羽根１２の主板１０側の後縁に発生する後流渦の影響を相対的に弱めることができるようになる。
【００８１】
その結果、同後流渦による騒音をも有効に低減することができる。
【００８２】
したがって、より騒音低減効果が向上する。
【００８３】
また、以上のように羽根１２，１２・・・の主板１０側径方向長さを側板１１側よりも長くするに際し、羽根１２，１２・・・の後縁部１２ｂを、羽根１２，１２・・・と熱交換器９，９との距離に応じて同距離が大きくなるほど空気吹出方向後方に長く延長することにより側板１１側よりも長くするようにすると、ターボファン１３の羽根車から吹き出される空気流の主流Ｆ1部が、より空気通路６，６に余裕がある主板１０側に偏位して、よりスムーズに流れるようになり、より効果的に羽根車吹出し直後の吹出し気流が空気熱交換器９，９部分に直接衝突するのを避け、より効率的に送風することができるようになる。
【００８４】
また、この実施の形態では、以上の場合において、上記空気吹出方向後方に長く延長された羽根後縁部１２ｂは、側板１１側から主板１０側にかけて徐々に直線状に長くなるように延長されている。
【００８５】
このような構成によると、羽根後縁部１２ｂの形状が、図８のように側板１１側から主板１０側にかけて直線的な変化で拡大されるテーパ形状となり、主板１０側に偏位して流れる主流Ｆ1の速度分布の変化に適切に対応したものにすることができる。
【００８６】
また、この実施の形態では、以上の構成において、上記複数枚の羽根１２，１２・・・は、それぞれ三次元形状の羽根１２，１２・・・により構成されている。
【００８７】
このように複数枚の羽根１２，１２・・・の各々が三次元形状の羽根により形成されていると、従来の平面的に描かれた翼素を基礎に作られた二次元的な羽根の形状と比較して、翼面の負荷分布および翼間を通過する気流の圧力変動が大きく改善される。
【００８８】
したがって、そのような作用を有する三次元形状の羽根に対して、さらに上述のような構成を組み合わせると、より一層効果的に上記後流渦の影響を解消することができる。
【００８９】
これらの結果、この実施の形態によると、必要かつ十分な熱交換能力および送風量を維持しながら、十分にコンパクトで、かつ静音性に優れた空気調和機用室内機を提供することが可能となる。
【００９０】
（変形例１）
なお、以上の構成において、上記空気吹出方向後方に長く延長された羽根後縁部１２ｂは、例えば図１３に示すように、側板１１側から主板１０側にかけて徐々に曲線状に長くなるように延長しても良い。
【００９１】
このような構成によると、羽根後縁部１２ｂの形状が側板１１側から主板１０側にかけて曲線的な変化で拡大されるテーパ形状となり、主板１０側に偏位して流れる主流Ｆ1の速度分布の変化に適切に対応したものにすることができる。
【００９２】
（変形例２）
また、同変形例１の構成において、上記側板１１側から主板１０側にかけて徐々に曲線状に長くなるように延長される後縁部１２ｂは、例えば図１４に示すように、同曲線状の延長部の途中に一つ以上の変曲点が存在し、それにより主板１０側に位置する膨出部１２ｃを形成するようにしても良い。
【００９３】
上述のターボファン１３のような遠心送風機では、主板１０近傍の気流が、主板１０の壁面による粘性の影響で層流せん断層を形成し、これにより主流Ｆ1の流路が狭まり、ファン性能が低下する恐れがある。
【００９４】
ところが、上記のようにして主板１０側に滑らかに膨出する膨出部１２ｃを設けると、上記せん断層の発達を効果的に抑制し、ファン性能を向上させることができる。
【００９５】
（変形例３）
上記本実施形態の三次元形状の羽根１２，１２・・・の前縁部１２ａ，１２ａ・・・には、さらに図１５に示すように羽根車の内周側に向かって階段状（本例では、２段）に突出する第１，第２の段部１２ｄ，１２ｅを設けるようにしてもよい。この第１，第２の２組の段部１２ｄ，１２ｅは、上記図１の空気吸込口５ａを介してターボファン１３の羽根車内に吸入された気流が羽根１２，１２・・・によって外周側に吹き出される際に、羽根１２，１２・・・の負圧面側から剥離するのを抑え、それにより送風機の吹出騒音を、さらに小さくするのに寄与する。
【００９６】
（変形例４）
さらに、この実施の形態では、例えば図１６，図１７に示すように、必要に応じて暖房運転時に凝縮器として作用し、冷房運転時に蒸発器として作用する過冷却熱交換器１９，１９が設けられる。この過冷却熱交換器１９，１９は、上記ターボファン１３の空気吹出口７，７側左右一対の空気熱交換器９，９各々の手前側（側板１１側）位置してに略対称に配置される。
【００９７】
このような構成の場合、ターボファン１３の側板１１側空気通路６の圧損が一層高くなる。したがって、上述の主板１０側主流Ｆ1の速度分布改善効果がより有効となる。
【００９８】
（変形例５）
また、この実施の形態の場合、上記左右一対の空気通路６，６が各々スクロール部を有して形成される場合もある。そのような場合、上記空気吹出方向に延長される羽根１２の後縁部１２ｂの長さは、同スクロール部の設置位置に対応して適切に設定される。
【００９９】
空気通路６，６にスクロール部がある場合、各羽根１２，１２・・・の後縁部がスクロール部に所定距離以上接近すると、吹出し気流とスクロール部（固体壁）との干渉が原因で、離散的（回転数［ｒｐｓ］×羽根枚数［枚］×ｎ：ｎ＝自然数）の干渉音（いわゆるＮＺ音）が発生する。
【０１００】
したがって、空気通路６，６にスクロール部がある時には、各羽根１２，１２・・・とスクロール部との距離を接近させすぎないようにするために、延長される羽根後縁部１２ｂの延長量も同干渉音を発生しない範囲に設定される。
【図面の簡単な説明】
【０１０１】
【図１】本願発明の最良の実施の形態に係る空気調和機用室内機の構成を示す断面図である。
【図２】同室内機の熱交換器部分の斜視図である。
【図３】同室内機のターボファン羽根車部分の斜視図である。
【図４】同ターボファン羽根車部分の正面図である。
【図５】同ターボファン羽根車の羽根部分の後部斜め上方から見た斜視図である。
【図６】同ターボファン羽根車の羽根部分の正面図（側板側かに主板方向に見た図）である。
【図７】同ターボファン羽根車の羽根の主板側部分の断面図を従来のものと対比して示す図である。
【図８】同ターボファン羽根車の空気吹出部の構成と作用を示す断面図である。。
【図９】図１の室内機要部の構成と作用を示す断面図である。
【図１０】図１の室内機の風量／回転数特性を従来のものと対比して示す図である。
【図１１】図１の室内機の風量／送風音特性を従来のものと対比して示す図である。
【図１２】図１の室内機の送風音のスペクトル分布を従来のものと対比して示す説明図である。
【図１３】本実施の形態の変形例１に係るターボファン羽根車の羽根部の作用を示す断面図である。
【図１４】本実施の形態の変形例２に係るターボファン羽根車の羽根部の構成と作用を示す断面図である。
【図１５】本実施の形態の変形例３に係るターボファン羽根車の羽根部の構成と作用を示す断面図である。
【図１６】本実施の形態の変形例４に係る空気調和機用室内機の構成を示す断面図である。
【図１７】同空気調和機の要部の構成と作用を示す断面図である。
【符号の説明】
【０１０２】
１は室内機、２は背面パネル、３は側面パネル、４は吸気・吹出パネル、６は空気通路、８はファンモータ、８ａは駆動軸、９は空気熱交換器、１０は主板、１１は側板、１２は羽根、１２ａは羽根前縁部、１２ｂは羽根後縁部、１３はターボファンである。
【図１】
2009281215.tif 000003
【図２】
2009281215.tif 000004
【図３】
2009281215.tif 000005
【図４】
2009281215.tif 000006
【図５】
2009281215.tif 000007
【図６】
2009281215.tif 000008
【図７】
2009281215.tif 000009
【図８】
2009281215.tif 000010
【図９】
2009281215.tif 000011
【図１０】
2009281215.tif 000012
【図１１】
2009281215.tif 000013
【図１２】
2009281215.tif 000014
【図１３】
2009281215.tif 000015
【図１４】
2009281215.tif 000016
【図１５】
2009281215.tif 000017
【図１６】
2009281215.tif 000018
【図１７】
2009281215.tif 000019